(57)【要約】【課題】  片面２層のＤＶＤ−Ｒにおいて、ブランク領域は、ボーダーのクローズ時やファイナライズ時又は記録できるタイミングになった時に、０埋めデータで記録する必要があるが、ブランク領域を探し出すのに、時間がかかる。【解決手段】  予約ＲＺｏｎｅ１０１ａを設定すると、インビジブルＲゾーン１０２の内周側端の二層目と予約ＲＺｏｎｅ１０１ａの外周側端の二層目との間に、予約ＲＺｏｎｅ１０１ａの一層目と、インビジブルＲゾーン１０２の一層目とが記録された後でないと記録できないブランク領域１０３ａが生じる。システムコントローラはブランク領域１０３ａの開始セクタ番号と終了セクタ番号とを算出してメモリ内のＲＭＤを更新し、その更新後のＲＭＤを光ディスクの管理情報記録領域に記録する。従って、光ディスクに記録されたＲＭＤを再生するだけで、ブランク領域の有無や場所を短時間で知ることができる。【選択図】            図３
2006147117.tif 000002
【特許請求の範囲】
【請求項１】
複数の記録層が積層された追記型又は書き換え型の光ディスクの前記複数の記録層に対して、光ピックアップに最も近い方の記録層から最も遠い方の記録層へ順番に、かつ、前記光ピックアップに近い方の記録層の一部又は全部に前記光ピックアップからのレーザー光により任意の情報を記録した記録済み領域を前記レーザー光を透過させて、前記光ピックアップに遠い方に積層された記録層の一部又は全部に任意の情報を記録する光ディスク記録装置であって、
前記光ピックアップに近い方の第１の記録層の未記録領域の存在により、該未記録領域に隣接する前記光ピックアップに遠い方の第２の記録層に発生するブランク領域の位置情報を取得する位置情報取得手段と、
前記位置情報取得手段により取得した前記ブランク領域の位置情報を、前記光ディスクの複数の記録層のそれぞれに予め設定された管理情報記録領域に、光ピックアップに最も近い方の記録層から最も遠い方の記録層へ順番に記録する管理情報記録手段と
を有することを特徴とする光ディスク記録装置。
【請求項２】
前記位置情報取得手段により取得した一又は二以上のブランク領域の位置情報を格納する位置情報記憶手段と、
前記一又は二以上のブランク領域のうち、前記第１の記録層の前記未記録領域が任意の情報信号で記録されて記録済み領域となった領域に対応する位置の前記第２の記録層のブランク領域を、予め設定した信号で書き込んで記録済み領域とする書込み手段と、
前記位置情報記憶手段に格納されている前記一又は二以上のブランク領域の位置情報のうち、前記書込み手段で書き込まれたブランク領域の位置情報を消去する位置情報更新手段とを更に有し、
前記位置情報更新手段により更新された後の前記位置情報記憶手段に格納されている前記一又は二以上のブランク領域の位置情報を、前記管理情報記録手段により、前記光ディスクの複数の記録層のそれぞれに予め設定された管理情報記録領域のうち、記録順番の記録層の管理情報記録領域に新たに記録させることを特徴とする請求項１記載の光ディスク記録装置。
【請求項３】
複数の記録層が積層された追記型又は書き換え型の光ディスクの前記複数の記録層に対して、光ピックアップに最も近い方の記録層から最も遠い方の記録層へ順番に、かつ、前記光ピックアップに近い方の記録層の一部又は全部に前記光ピックアップからのレーザー光により任意の情報を記録した記録済み領域を前記レーザー光を透過させて、前記光ピックアップに遠い方に積層された記録層の一部又は全部に任意の情報を記録する記録方法であって、
前記光ピックアップに近い方の第１の記録層の未記録領域の存在により、該未記録領域に隣接する前記光ピックアップに遠い方の第２の記録層に発生するブランク領域の位置情報を取得する第１のステップと、
前記第１のステップにより取得した前記ブランク領域の位置情報を、前記光ディスクの複数の記録層のそれぞれに予め設定された管理情報記録領域に、光ピックアップに最も近い方の記録層から最も遠い方の記録層へ順番に記録する第２のステップと
を含むことを特徴とする記録方法。
【請求項４】
前記第１のステップにより取得した一又は二以上のブランク領域の位置情報を記憶手段に格納する第３のステップと、
前記一又は二以上のブランク領域のうち、前記第１の記録層の前記未記録領域が任意の情報信号で記録されて記録済み領域となった領域に対応する位置の前記第２の記録層のブランク領域を、予め設定した信号で書き込んで記録済み領域とする第４のステップと、
前記記憶手段に格納されている前記一又は二以上のブランク領域の位置情報のうち、前記第４のステップで書き込まれたブランク領域の位置情報を消去する第５のステップと、
前記第５のステップにより消去更新された後の前記記憶手段に格納されている前記一又は二以上のブランク領域の位置情報を、前記光ディスクの複数の記録層のそれぞれに予め設定された管理情報記録領域のうち、記録順番の記録層の管理情報記録領域に新たに記録する第６のステップと
を更に含むことを特徴とする請求項３記載の記録方法。
【請求項５】
複数の記録層が積層された追記型又は書き換え型の光ディスクの前記複数の記録層に対して、光ピックアップに最も近い方の記録層から最も遠い方の記録層へ順番に、かつ、前記光ピックアップに近い方の記録層の一部又は全部に前記光ピックアップからのレーザー光により任意の情報を記録した記録済み領域を前記レーザー光を透過させて、前記光ピックアップに遠い方に積層された記録層の一部又は全部に任意の情報を記録する記録方法をコンピュータにより実行させる記録プログラムであって、
前記コンピュータに、
前記光ピックアップに近い方の第１の記録層の未記録領域の存在により、該未記録領域に隣接する前記光ピックアップに遠い方の第２の記録層に発生するブランク領域の位置情報を取得する第１のステップと、
前記第１のステップにより取得した前記ブランク領域の位置情報を、前記光ディスクの複数の記録層のそれぞれに予め設定された管理情報記録領域に、光ピックアップに最も近い方の記録層から最も遠い方の記録層へ順番に記録する第２のステップと
を実行させることを特徴とする記録プログラム。
【請求項６】
前記コンピュータに、
前記第１のステップにより取得した一又は二以上のブランク領域の位置情報を記憶手段に格納する第３のステップと、
前記一又は二以上のブランク領域のうち、前記第１の記録層の前記未記録領域が任意の情報信号で記録されて記録済み領域となった領域に対応する位置の前記第２の記録層のブランク領域を、予め設定した信号で書き込んで記録済み領域とする第４のステップと、
前記記憶手段に格納されている前記一又は二以上のブランク領域の位置情報のうち、前記第４のステップで書き込まれたブランク領域の位置情報を消去する第５のステップと、
前記第５のステップにより消去更新された後の前記記憶手段に格納されている前記一又は二以上のブランク領域の位置情報を、前記光ディスクの複数の記録層のそれぞれに予め設定された管理情報記録領域のうち、記録順番の記録層の管理情報記録領域に新たに記録する第６のステップと
を更に実行させることを特徴とする請求項５記載の記録プログラム。
【請求項７】
積層された複数の記録層に対して、光ピックアップに最も近い方の記録層から最も遠い方の記録層へ順番に、かつ、前記光ピックアップに近い方の記録層の一部又は全部に前記光ピックアップからのレーザー光により任意の情報を記録した記録済み領域に前記レーザー光を透過させて、前記光ピックアップに遠い方に積層された記録層の一部又は全部に任意の情報が記録される追記型又は書き換え型の光ディスクであって、
前記光ピックアップに近い方の第１の記録層の未記録領域の存在により、該未記録領域に隣接する前記光ピックアップに遠い方の第２の記録層に発生するブランク領域の位置情報が、前記複数の記録層のそれぞれに予め設定された管理情報記録領域に、光ピックアップに最も近い方の記録層から最も遠い方の記録層へ順番に記録されてなることを特徴とする光ディスク。
【請求項８】
前記一又は二以上のブランク領域のうち、前記第１の記録層の前記未記録領域が任意の情報信号で記録されて記録済み領域となった領域に対応する位置の前記第２の記録層のブランク領域を、予め設定した信号で書き込んで記録済み領域とされた時に、記録済み領域とされた前記ブランク領域の位置情報を消去した後の位置情報が、前記複数の記録層のそれぞれに予め設定された管理情報記録領域のうち、記録順番である記録層の該管理情報記録領域に、新たに記録されてなることを特徴とする請求項７記載の光ディスク。
【発明の詳細な説明】
【技術分野】
【０００１】
本発明は光ディスク記録装置、記録方法及び記録プログラム並びに光ディスクに係り、特に複数の記録層を持つ追記型又は書き換え型の光ディスクの任意に設定した領域に、情報信号を任意の順番で管理情報と共に記録する光ディスク記録装置、記録方法及び記録プログラム並びにその記録装置で記録された光ディスクに関する。
【背景技術】
【０００２】
近年、ＤＶＤ（Digital Versatile Disk:ディジタル多用途ディスク）規格に従う追記型の光ディスクであるＤＶＤ−Ｒが、大容量で、高画質の動画を記録再生できるなどの特長から広く普及している。このＤＶＤ−Ｒは追記型の光ディスクであるため、一度記録した情報の領域を消去してその領域に新たに別の情報を書き換えることができないことから、以前記録した情報を書き換える替わりに、まだ未記録の他の領域に新しい情報を継ぎ足す（追記する）。このため、ＤＶＤ−Ｒには、ＤＶＤ−ＲＡＭのような書き換え型の光ディスクに記録される管理情報とは異なる管理情報を記録再生して、記録／未記録の領域を管理しながら、情報の追記を行う。
【０００３】
図８はＤＶＤ−Ｒにおける情報の追記の一例を模式的に示す。同図に示すように、ＤＶＤ−Ｒの記録領域は、ＤＶＤ−Ｒの内周から外周へ向かって、Ｒ情報領域（Ｒ−Ｉｎｆｏ．）４０１、リードイン領域（Ｌｅａｄ−ｉｎ）４０２、データ領域（Ｄａｔａ  Ａｒｅａ）４０３及びリードアウト領域（Ｌｅａｄ−Ｏｕｔ）４０４に分割されている。
【０００４】
Ｒ−Ｉｎｆｏ．４０１はＤＶＤ−Ｒに特有の領域であり、パワーキャリブレーション領域（Power Calibration Area；ＰＣＡ）４１１と、記録管理領域（Recording Management Area；ＲＭＡ）４１２とから構成される。データ領域４０３は、ユーザデータが記録される領域である。リードイン領域４０２とリードアウト領域４０４は、データ領域４０３にアクセスする際の記録・再生ヘッドのオーバーラインに備える緩衝領域である。後述するボーダーイン領域やボーダーアウト領域も、同じく緩衝領域として機能する。
【０００５】
リードイン領域４０２のうち、データ領域４０３に隣接する領域をエクストラ・ボーダー・ゾーン（Extra-Border zone）と呼び、後述するボーダーイン領域（Border-in Area）とほぼ同じ役割をする。データ領域４０３のうち、明示的に予約されていない領域をインピジブルＲゾーン（Invisible RZone）と呼ぶ。図８の４２１は、新品のＤＶＤ−Ｒのエクストラ・ボーダー・ゾーン（Extra-Border zone）、データ領域４０３及びリードアウト領域４０４を示し、データ領域４０３の全体がインビジブルＲゾーン（Invisible RZone）である。
【０００６】
データ領域４０３内に、これから記録するコンテンツ（例えば、音楽の１曲、映像の１ドラマ、コンピュータデータの１ファイル等）を格納する領域を予約すると、データ領域４０３のインビジブルＲゾーン（Invisible RZone）の先頭にＲゾーン（ＲＺｏｎｅ）が形成される。図８に４２２で示すように、コンテンツのデータはＲＺｏｎｅの先頭から順に記録することができる。また、コンテンツのサイズが分からない場合には、図８に４２２で示すように、インビジブルＲゾーン（Invisible RZone）の先頭から順に記録することもできる。
【０００７】
コンテンツを記録し終わったＤＶＤ−ＲをＤＶＤプレイヤで再生できる状態にするには、再生したい領域と、その両側の緩衝領域とを合わせた領域を記録済みにする必要がある。一般的にＤＶＤプレイヤは、ＤＶＤ−Ｒのカッティング情報を読み出すことができず、ランドに記録されたピット情報だけを手がかりにして、記録されたデータを再生するからである。
【０００８】
この目的のために、予約したＲＺｏｎｅに未記録領域が残っていれば０埋めデータで記録済みにし（これをＲＺｏｎｅのクローズと呼ぶ）、図８に４２３で示すように、その記録済みのＲＺｏｎｅであるボーダードエリア（Bordered Area）を挟むようにエクストラ・ボーダーゾーン(Extra-Border)とボーダーアウト領域(Border out)に所定のデータを記録する（これをボーダーのクローズと呼ぶ）。また、ボーダーアウト領域の外側に隣接する領域は、次に記録されるユーザデータに関するボーダーイン領域（Border in）として空けておく。
【０００９】
従って、インビジブルＲゾーン（Invisible RZone）はそのボーダーイン領域（Border in）の外側から始まることになる。ここで、隣接するボーダーアウト領域(Border out)とボーダーイン領域（Border in）を合わせて、ボーダーゾーン（Border zone）と呼ぶ。更に、コンテンツをＤＶＤ−Ｒに追加記録する場合、図８に４２４で示すように、インビジブルＲゾーン（Invisible RZone）の先頭から順にコンテンツのデータが記録される。全てのコンテンツをＤＶＤ−Ｒに記録し終えれば、図８に４２５で示すように、上述したボーダークローズに加えて、リードアウト領域４０４に所定のデータを記録する（これをファイナライズと呼ぶ）。ファイナライズされたＤＶＤ−Ｒディスクは、これ以上データを追加記録することはできない。
【００１０】
記録管理領域（Recording Management Area；ＲＭＡ）４１２は、上述したリードイン領域４０２とデータ領域４０３とリードアウト領域４０４の記録状態の変遷を管理する。ＲＭＡ４１２は、ＲＭＡ４１２の始まりを示すＲＭＡリードイン(RMA Lead-In)と、記録管理データ（Recording Management Data;ＲＭＤ）とから構成される。ＲＭＡの直前にはリンキングロス領域（Linking Loss Area;ＬＬＡ）があり、これはデータ再生に必要なＰＬＬ同期やフレーム同期を確立するために使用される助走区間の役割を果たす。
【００１１】
ＲＭＤは、データ領域４０３へのユーザデータの記録の時点におけるＤＶＤ−Ｒの記録状態を保持する管理情報で、そのサイズは誤り訂正符号が計算されるＥＣＣブロックである。このＲＭＤは、ＤＶＤ−Ｒが光ディスク記録装置から排出される直前のタイミングなどで、その時点の各ボーダーゾーンの位置及び各ＲＺｏｎｅの位置などを示す管理情報として記録される。ＲＭＤは、ＲＭＡ領域４１２内において、ＲＭＤ＃１領域、ＲＭＤ＃２領域、・・・の順で最大ＲＭＤ＃７００まで記録できるようにされている。従って、記録済みのＲＭＤ領域のうち、最もリードイン領域４０２に近いＲＭＤ領域に最新の管理情報が記録されていることになる。
【００１２】
このような、追記型の光ディスクにおいては、ＲＭＡ領域４１２に記録される管理情報ＲＭＤが記録状態を示す重要な情報であり、正確に再生できなければ、その光ディスクに新たに情報を追記できないため、管理情報ＲＭＤの信頼性を高めるようにした光ディスク記録装置が従来より知られている（例えば、特許文献１参照）。
【００１３】
ところで、近年、ユーザーが記録したい容量は年々増加しており、この要求に応えるべく二層の記録層を持つ片面２層のＤＶＤ−Ｒの開発が進められている。図９はこの片面２層のＤＶＤ−Ｒの一例の概略記録領域説明図を示す。同図に示すように、片面２層のＤＶＤ−Ｒは、一層目の記録層５０１と二層目の記録層５０２とが積層された構造であり、光ピックアップに近い方を一層目と呼ぶものとする。
【００１４】
一層目の記録層５０１には、内周から外周方向へ向かってＲ情報領域（Ｒ−Ｉｎｆｏ．）５１１、リードイン領域（Ｌｅａｄ−ｉｎ）５１２、データ領域（Ｄａｔａ  Ａｒｅａ）５１３及び中間領域（Ｍｉｄｄｌｅ  Ａｒｅａ）５１４に分割されて形成されている。また、二層目の記録層５０２には、内周から外周方向へ向かってＲ情報領域（Ｒ−Ｉｎｆｏ．）５２１、リードアウト領域（Ｌｅａｄ−ｏｕｔ）５２２、データ領域（Ｄａｔａ  Ａｒｅａ）５２３及び中間領域（Ｍｉｄｄｌｅ−Ａｒｅａ）５２４に分割されて形成されている。
【００１５】
すなわち、この片面２層のＤＶＤ−Ｒでは、一層目の記録層５０１は、単層のＤＶＤ−Ｒに対して、リードアウト領域が中間領域５１４に変更されている。二層目の記録層５０２は、一層目の記録層５０１とほぼ同じ構造であるが、リードイン領域５１２の替わりにリードアウト領域５２２が設けられる。一層目の記録層５０１は、内周側から外周側に向かって記録され、二層目の記録層５０２は外周側から内周側に向かって記録される。
【００１６】
また、この片面２層のＤＶＤ−Ｒでは二層目記録層５０２に対する記録時には、図１０に示すように、光ピックアップ（図示せず）から出射されたレーザー光の光束６０１が、対物レンズ６０２により一層目記録層５０１を透過して二層目記録層５０２に焦点一致して集光するようにされる。従って、二層目記録層５０２の記録特性は、一層目記録層５０１が記録済みであるか未記録であるかで異なってくることが知られている。
【００１７】
そこで、二層目記録層５０２に対する記録は、常に一層目記録層５０１の既に記録されている領域を通して行うことにすれば、上記の記録特性の変化を気にする必要がなくなる。ここで、二層目記録層５０２に対する記録時には、図１０に示すようにレーザー光の光束６０１が、対物レンズ６０２により一層目記録層５０１を通して二層目記録層５０２に集光されるので、レーザー光の光束６０１が透過する一層目記録層５０１の記録された領域の幅に比較して、二層目記録層５０２に記録可能な領域の幅は狭いものとなる。これは、一層目記録層５０１と二層目記録層５０２の構造上の誤差を考慮するとさらに狭くする必要がある。
【００１８】
ここで、上記の二層目記録層５０２に対する記録は、常に一層目記録層５０１の既に記録されている領域を通して行うという前提の下で片面２層ＤＶＤ−Ｒに対する記録を行うものとすると、図１１（Ａ）に示すように、一層目記録層５０１にある程度情報を記録した時点でその記録した領域を通して二層目記録層５０２に情報を記録するようにすることにより、一層目記録層５０１及び二層目記録層５０２とも内周側から記録できるので利便性が高まる。
【００１９】
すなわち、図１１（Ａ）において、一層目記録層５０１に対して情報を矢印７０１に示すように内周から外周へ向かって記録した後、その上の二層目記録層５０２に対して情報を矢印７０２に示すように外周から内周へ向かって記録して記録済みのＲゾーン（ＲＺｏｎｅ）を形成する。その後、一層目記録層５０１に対して情報を矢印７０３に示すように内周から外周へ向かって記録した後、その上の二層目記録層５０２に対して情報を矢印７０４に示すように外周から内周へ向かって記録して記録済みのＲＺｏｎｅを形成し、更に一層目記録層５０１に対して情報を矢印７０５に示すように内周から外周へ向かって記録した後、その上の二層目記録層５０２に対して情報を矢印７０６に示すように外周から内周へ向かって記録して記録済みのＲＺｏｎｅを形成する。
【００２０】
【特許文献１】特開２００２−３５２５２２号公報
【発明の開示】
【発明が解決しようとする課題】
【００２１】
しかしながら、上記の片面２層ＤＶＤ−Ｒの記録時において、図１１（Ｂ）に示すように、記録済みのＲＺｏｎｅ８０１に続いて予約ＲＺｏｎｅ８０２を設定し、予約ＲＺｏｎｅ８０２の一層目記録層５０１の一部のみにしか記録せず未記録領域が残っている場合には、常に一層目記録層５０１の既に記録されている領域を通して行う必要があることから、その予約ＲＺｏｎｅ８０２の一層目記録層５０１と、予約ＲＺｏｎｅ８０２の外周側に隣接するインビジブルＲゾーン（Invisible RZone）８０３の一層目記録層５０１とが記録された後でないと、二層目記録層５０２に記録できない領域（以下、この領域をブランク領域という）８０４ができてしまう。従って、インビジブルＲゾーン（Invisible RZone）８０３に対して記録する場合には、ブランク領域８０４を避けて記録することになる。
【００２２】
また、上記のブランク領域８０４は、以下の理由で他のＲＺｏｎｅと同様に扱うことが困難である。
【００２３】
１．狭い領域であるため領域内に記録できる容量が少ない。そのため、映像データ等の実時間で再生するデータを記録した場合、シーク期間中にシーク直前に再生して記憶した情報を再生し続ける、公知の文献（DVD Specifications for Rewritable/Re-recordable Discs Part3：VIDEO RECORDINGS，Version1.9，September 1999，DVD Forum，VRX-G1）に記載された、いわゆるジャンプ・パフォーマンス・モデル（Ｊｕｍｐ  Ｐｅｒｆｏｒｍａｎｃｅｓ  Ｍｏｄｅｌ）を満足する情報量が記録されたデータエリア（ＣＤＡ）を確保できない場合がある。
【００２４】
２．記録が可能になるタイミングの管理が困難である。図１１（Ｂ）に示すブランク領域８０４には、ブランク領域８０４の内周側の予約ＲＺｏｎｅ８０２の一層目記録層が記録された後でないと記録ができない。従って、殆どのケースでは、このブランク領域８０４は、ボーダーのクローズ時やファイナライズ時又は記録できるタイミングになった時に、０埋めデータで記録することになる。あるいは、映像データ等以外のコンピュータデータを記録することも考えられる。
【００２５】
しかしながら、特許文献１記載の従来の光ディスク記録装置では、図８に示すような記録層が単一の追記型光ディスクに対して適用できるのみであり、図１１（Ｂ）と共に説明した片面２層の光ディスクの問題には対応できないという問題がある。従って、ブランク領域をボーダーのクローズ時やファイナライズ時等に探し出すのに、時間がかかるという問題がある。
【００２６】
本発明は以上の点に鑑みなされたもので、ボーダーのクローズ時やファイナライズ時等に、改めてブランク領域を探索する必要がなく、ボーダーのクローズやファイナライズに要する時間を削減し得る光ディスク記録装置、記録方法及び記録プログラム並びに光ディスクを提供することを目的とする。
【課題を解決するための手段】
【００２７】
上記の目的を達成するため、第１の発明の光ディスク記録装置は、複数の記録層が積層された追記型又は書き換え型の光ディスクの複数の記録層に対して、光ピックアップに最も近い方の記録層から最も遠い方の記録層へ順番に、かつ、光ピックアップに近い方の記録層の一部又は全部に光ピックアップからのレーザー光により任意の情報を記録した記録済み領域をレーザー光を透過させて、光ピックアップに遠い方に積層された記録層の一部又は全部に任意の情報を記録する光ディスク記録装置であって、
光ピックアップに近い方の第１の記録層の未記録領域の存在により、未記録領域に隣接する光ピックアップに遠い方の第２の記録層に発生するブランク領域の位置情報を取得する位置情報取得手段と、位置情報取得手段により取得したブランク領域の位置情報を、光ディスクの複数の記録層のそれぞれに予め設定された管理情報記録領域に、光ピックアップに最も近い方の記録層から最も遠い方の記録層へ順番に記録する管理情報記録手段とを有することを特徴とする。
【００２８】
この発明では、光ピックアップに近い方の第１の記録層の未記録領域の存在により、未記録領域に隣接する光ピックアップに遠い方の第２の記録層に発生するブランク領域の位置情報を、光ディスクの複数の記録層のそれぞれに予め設定された管理情報記録領域のうち、一の記録層の管理情報記録領域に記録するようにしたため、管理情報記録領域からブランク領域の位置情報を再生することにより、ブランク領域の有無や位置を知ることができる。
【００２９】
また、上記の目的を達成するため、第２の発明の光ディスク記録装置は、位置情報取得手段により取得した一又は二以上のブランク領域の位置情報を格納する位置情報記憶手段と、一又は二以上のブランク領域のうち、第１の記録層の未記録領域が任意の情報信号で記録されて記録済み領域となった領域に対応する位置の第２の記録層のブランク領域を予め設定した信号で書き込んで記録済み領域とする書込み手段と、位置情報記憶手段に格納されている一又は二以上のブランク領域の位置情報のうち、書込み手段で書き込まれたブランク領域の位置情報を消去する位置情報更新手段とを更に有し、位置情報更新手段により更新された後の位置情報記憶手段に格納されている一又は二以上のブランク領域の位置情報を、管理情報記録手段により、光ディスクの複数の記録層のそれぞれに予め設定された管理情報記録領域のうち、記録順番の記録層の管理情報記録領域に新たに記録させることを特徴とする。
【００３０】
この発明では、位置情報更新手段により更新された後の位置情報記憶手段に格納されている一又は二以上のブランク領域の位置情報を、光ディスクの複数の記録層のうち記録順番となる一の管理情報記録領域に新たに記録するようにしたため、管理情報記録領域から常に最新のブランク領域の位置情報を再生することができる。
【００３１】
また、上記の目的を達成するため、第３の発明の記録方法は、複数の記録層が積層された追記型又は書き換え型の光ディスクの複数の記録層に対して、光ピックアップに最も近い方の記録層から最も遠い方の記録層へ順番に、かつ、光ピックアップに近い方の記録層の一部又は全部に光ピックアップからのレーザー光により任意の情報を記録した記録済み領域をレーザー光を透過させて、光ピックアップに遠い方に積層された記録層の一部又は全部に任意の情報を記録する記録方法であって、光ピックアップに近い方の第１の記録層の未記録領域の存在により、未記録領域に隣接する光ピックアップに遠い方の第２の記録層に発生するブランク領域の位置情報を取得する第１のステップと、第１のステップにより取得したブランク領域の位置情報を、光ディスクの複数の記録層のそれぞれに予め設定された管理情報記録領域に、光ピックアップに最も近い方の記録層から最も遠い方の記録層へ順番に記録する第２のステップとを含むことを特徴とする。
【００３２】
この発明では、光ピックアップに近い方の第１の記録層の未記録領域の存在により、未記録領域に隣接する光ピックアップに遠い方の第２の記録層に発生するブランク領域の位置情報を、光ディスクの複数の記録層のそれぞれに予め設定された管理情報記録領域のうち、一の記録層の管理情報記録領域に記録するようにしたため、管理情報記録領域からブランク領域の位置情報を再生することにより、ブランク領域の有無や位置を知ることができる。
【００３３】
また、上記の目的を達成するため、第４の発明の記録方法は、第１のステップにより取得した一又は二以上のブランク領域の位置情報を記憶手段に格納する第３のステップと、一又は二以上のブランク領域のうち、第１の記録層の未記録領域が任意の情報信号で記録されて記録済み領域となった領域に対応する位置の第２の記録層のブランク領域を、予め設定した信号で書き込んで記録済み領域とする第４のステップと、記憶手段に格納されている一又は二以上のブランク領域の位置情報のうち、第４のステップで書き込まれたブランク領域の位置情報を消去する第５のステップと、第５のステップにより消去更新された後の記憶手段に格納されている一又は二以上のブランク領域の位置情報を、光ディスクの複数の記録層のそれぞれに予め設定された管理情報記録領域のうち、記録順番の記録層の管理情報記録領域に新たに記録する第６のステップとを第３の発明に更に含むことを特徴とする。
【００３４】
この発明では、消去更新された後の記憶手段に格納されている一又は二以上のブランク領域の位置情報を、光ディスクの複数の記録層のうち記録順番となる一の管理情報記録領域に新たに記録するようにしたため、管理情報記録領域から常に最新のブランク領域の位置情報を再生することができる。
【００３５】
また、上記の目的を達成するため、第５の発明の記録プログラムは、第３の発明の記録方法の各ステップをコンピュータにより実行させることを特徴とし、第６の発明の記録プログラムは、第４の発明の記録方法の各ステップをコンピュータにより実行させることを特徴とする。
【００３６】
更に、上記の目的を達成するため、第７の発明の光ディスクは、積層された複数の記録層に対して、光ピックアップに最も近い方の記録層から最も遠い方の記録層へ順番に、かつ、光ピックアップに近い方の記録層の一部又は全部に光ピックアップからのレーザー光により任意の情報を記録した記録済み領域にレーザー光を透過させて、光ピックアップに遠い方に積層された記録層の一部又は全部に任意の情報が記録される追記型又は書き換え型の光ディスクであって、光ピックアップに近い方の第１の記録層の未記録領域の存在により、未記録領域に隣接する光ピックアップに遠い方の第２の記録層に発生するブランク領域の位置情報が、複数の記録層のそれぞれに予め設定された管理情報記録領域に、光ピックアップに最も近い方の記録層から最も遠い方の記録層へ順番に記録されてなることを特徴とする。この発明では、管理情報記録領域からブランク領域の位置情報を再生することができる。
【００３７】
また、更に、第８の発明の光ディスクは、一又は二以上のブランク領域のうち、第１の記録層の未記録領域が任意の情報信号で記録されて記録済み領域となった領域に対応する位置の第２の記録層のブランク領域を、予め設定した信号で書き込んで記録済み領域とされた時に、記録済み領域とされたブランク領域の位置情報を消去した後の位置情報が、複数の記録層のそれぞれに予め設定された管理情報記録領域のうち、記録順番である記録層の管理情報記録領域に、新たに記録されてなることを特徴とする。この発明では、管理情報記録領域から常に最新のブランク領域の位置情報を再生することができる。
【発明の効果】
【００３８】
本発明によれば、光ピックアップに近い方の第１の記録層の未記録領域の存在により、未記録領域に隣接する光ピックアップに遠い方の第２の記録層に発生するブランク領域の位置情報を、光ディスクの複数の記録層のそれぞれに予め設定された管理情報記録領域のうち、一の記録層の管理情報記録領域に記録することにより、管理情報記録領域からブランク領域の位置情報を再生してブランク領域の有無や位置を知ることができるため、所定の場合（ボーダーのクローズ時やファイナライズ時等）に、改めてブランク領域を探索する必要がなく、ボーダーのクローズやファイナライズに要する時間を削減することができ、利便性を向上できる。
【００３９】
また、本発明によれば、ブランク領域を記録済み領域とした時には、光ディスクの複数の記録層のうち記録順番となる一の管理情報記録領域に新たに記録することにより、管理情報記録領域から常に最新のブランク領域の位置情報を再生することができるようにしたため、正確なブランク領域の管理ができる。
【発明を実施するための最良の形態】
【００４０】
次に、本発明の実施の形態に着いて、図面を参照して説明する。図１は本発明になる光ディスク記録装置を有する記録再生システムのシステム構成図を示す。この記録再生システムは、上位装置１と、光ディスク装置２と、片面２層の記録層を持った光ディスク３とを含む構成である。片面２層の光ディスク３は、本発明の光ディスクの一実施の形態の追記型の光ディスク（ＤＶＤ−Ｒ）又は書換型の光ディスク（ＤＶＤ−ＲＷ）であり、光ディスク装置２に対して装填及び排出自在とされている。
【００４１】
上位装置１は、例えばパーソナルコンピュータで構成されており、光ディスク装置２に対して光ディスク３に対する記録又は再生を命令する。上位装置１は、光ディスク装置２と同一筐体に収められていてもよい。このような形態は、例えば、光ディスクレコーダにおいて採用される。
【００４２】
光ディスク装置２は、本発明になる光ディスク記録装置の一実施の形態の記録機能に加えて、再生機能も有する構成であり、装置全体を制御するシステムコントローラ４と、光ディスク３への記録と再生を行う記録再生回路５と、システムコントローラ４の制御プログラムが格納されたプログラムメモリ６と、光ディスク３へ記録および再生するデータや管理情報を一時的に保持する書込み／読出し可能なデータメモリ７と、それらの構成要素を双方向に接続する内部バス８と、光ディスク装置２に装填された光ディスク３に対してデータの記録／再生を光学的に行う光ピックアップ９と、上位装置１と内部バス８とを接続するためのインタフェース（ＩＦ）１０とを有する構成とされている。
【００４３】
記録再生回路５は、片面２層の光ディスク３に対して、所望のコンテンツの情報を記録再生する機能に加えて、管理情報を記録する記録手段と管理情報を再生する再生手段としても機能する。システムコントローラ４はデータメモリ７に対して管理情報の書込み及び読み出しを行うと共に、記録再生回路５を介して光ディスク３のＲ情報領域（Ｒ−Ｉｎｆｏ．）に管理情報を書き込む。
【００４４】
ここで、片面２層の光ディスク３は図９に示したものと同じ構造であり、上記の管理情報は、一層目記録層５０１のＲ情報領域（Ｒ−Ｉｎｆｏ．）５１１に内周から外周方向へ光ディスク３が光ディスク装置２から排出される直前などの所定のタイミングで、１ＥＣＣブロック単位で記録され、Ｒ情報領域（Ｒ−Ｉｎｆｏ．）５１１にすべて記録した後は、今度は二層目記録層５０２のＲ情報領域（Ｒ−Ｉｎｆｏ．）５２１に外周から内周方向へ、例えば光ディスク３が光ディスク装置２から排出される直前などの所定のタイミングで、１ＥＣＣブロック単位（＝１６セクタ単位）で記録される。
【００４５】
次に、本実施の形態の動作について、図２、図４及び図５のフローチャート、図３の光ディスク３のデータ領域の一部に対する記録状態説明図、図６の管理情報テーブル等と共に詳細に説明する。
【００４６】
図２は上位装置１から光ディスク装置２に対して発行された命令順の一例を示すフローチャートで、例えば図３（Ａ）に示すように、光ディスク３のデータ領域内の一層目記録層５０１と二層目記録層５０２に記録済みのＲゾーン（ＲＺｏｎｅ）１００が形成された後で、上位装置１から光ディスク装置２に対して、例えば一番目の新たなＲＺｏｎｅの予約命令が発行されたものとする（図２のステップＳ１０）。
【００４７】
すると、光ディスク装置２のシステムコントローラ４は、上位装置１から新たなＲＺｏｎｅの予約命令を受け取り（図４（Ａ）のステップＳ１１）、内部バス８及び記録再生回路５を介して光ピックアップ９を制御して、図９に示したＲ−Ｉｎｆｏ．５１１又は５２１に記録されているＲＭＡ内の最新のＲＭＤ情報を読み出す（図４（Ａ）のステップＳ１２）。ここで、Ｒ−Ｉｎｆｏ．５１１のみにＲＭＤ情報が記録されているときには、最も外周側に記録されているＲＭＤ情報が最新のＲＭＤ情報であり、Ｒ−Ｉｎｆｏ．５１１と５２１の両方にＲＭＤ情報が記録されているときには、Ｒ−Ｉｎｆｏ．５２１内で最も内周側に記録されているＲＭＤ情報が最新のＲＭＤ情報である。
【００４８】
続いて、システムコントローラ４は、光ピックアップ９から記録再生回路５及び内部バス８を介して入力された上記の最新のＲＭＤ情報に基づき、図３（Ａ）に示すように、光ディスク３のインビジブルＲゾーン（Invisible RZone）内のＲＺｏｎｅ１００の外周側に隣接する領域に一番目の予約ＲＺｏｎｅ１０１ａを確保する（図４（Ａ）のステップＳ１３）。
【００４９】
これにより、前述したように、図３（Ａ）に示すように、予約ＲＺｏｎｅ１０１ａの外周側に隣接するインビジブルＲゾーン（Invisible RZone）１０２の内周側端の二層目記録層５０２と予約ＲＺｏｎｅ１０１ａの外周側端の二層目記録層５０２との間に、予約ＲＺｏｎｅ１０１ａの一層目記録層５０１と、インビジブルＲゾーン（Invisible RZone）１０２の一層目記録層５０１とが記録された後でないと記録できない領域、すなわち、ブランク領域１０３ａが生じる。
【００５０】
続いて、システムコントローラ４は二層目記録層５０２にできる上記のブランク領域１０３ａの開始セクタ番号と終了セクタ番号とを算出し（図４(Ａ)のステップＳ１４）、データメモリ７に確保したＲＭＤ記録領域内のブランク領域の表（テーブル）に、二層目記録層５０２にできる上記のブランク領域１０３ａの開始セクタ番号と終了セクタ番号とを追加してＲＭＤを更新し、その更新後のＲＭＤを光ディスク３のＲ−Ｉｎｆｏ．５１１又は５２１に記録する（図４（Ａ）のステップＳ１５）。
【００５１】
図６（Ａ）はこの場合のデータメモリ７に確保したＲＭＤ記録領域内のブランク領域の表（テーブル）を示し、上記のステップＳ１５で更新された一番目のブランク領域１０３ａの開始セクタ番号がＮからＮ＋３バイトの位置２０１に記憶され、終了セクタ番号がＮ＋４からＮ＋７バイトの位置２０２に記憶される。なお、表中の他のフィールドは、０データにしておく。ＲＭＤを記録し終わった後で、光ディスク３を光ディスク装置２から取り出してもよい。
【００５２】
その後、光ディスク３を光ディスク装置２に装填などして、インビジブルＲゾーン（Invisible RZone）１０２中にある程度の量のデータを記録し終わった後で、二番目のＲＺｏｎｅを予約すると、図３（Ｂ）に示すように、インビジブルＲゾーン（Invisible RZone）１０２中に記録済みのＲＺｏｎｅ１０４が形成され、その外周側に隣接して二番目の予約ＲＺｏｎｅ１０５ａ、インビジブルＲゾーン（Invisible RZone）１０６が順次に形成されると共に、二番目のブランク領域１０７ａが予約ＲＺｏｎｅ１０５ａとインビジブルＲゾーン（Invisible RZone）１０６との間の二層目記録層５０２に生じる。
【００５３】
このとき、光ディスク装置２は上記の一番目のＲＺｏｎｅ予約時と同様の動作を行い、システムコントローラ４は上記の二番目のブランク領域１０７ａの開始セクタ番号と終了セクタ番号とを算出し、データメモリ７に確保したＲＭＤ記録領域内のブランク領域の表（テーブル）に、それらを追加記憶してＲＭＤを更新する。図６（Ｂ）はこの場合のデータメモリ７に確保したＲＭＤ記録領域内のブランク領域の表（テーブル）を示し、二番目のブランク領域１０７ａの開始セクタ番号がＮ＋８からＮ＋１１バイトの位置２０３に追加記憶され、終了セクタ番号がＮ＋１２からＮ＋１５バイトの位置２０４に追加記憶される。
【００５４】
続いて、光ディスク装置２が記録再生回路５及び光ピックアップ９を介して、図３（Ｃ）に示すように、二番目の予約ＲＺｏｎｅ１０５ａに所望の情報信号を記録して記録済みの予約ＲＺｏｎｅ１０５ｂとし、更にインビジブルＲゾーン（Invisible RZone）１０６の一部も記録してインビジブルＲゾーン（Invisible RZone）１０８とした後、上位装置１から先ほどの二番目の予約ＲＺｏｎｅ１０５ｂを閉じる命令が発行されたものとする（図２のステップＳ２０）。
【００５５】
すると、光ディスク装置２のシステムコントローラ４は上位装置１から二番目の予約ＲＺｏｎｅ１０５ｂを閉じる命令を受け取り（図４（Ｂ）のステップＳ２１）、内部バス８及び記録再生回路５を介して光ピックアップ９を制御して、図９に示したＲ−Ｉｎｆｏ．５１１又は５２１に記録されているＲＭＡ内の最新のＲＭＤ情報を読み出す（図４（Ｂ）のステップＳ２２）。
【００５６】
続いて、システムコントローラ４は読み出した最新のＲＭＤ情報をデータメモリ７に確保したＲＭＤ記録領域内に格納した後、二番目の予約ＲＺｏｎｅ１０５ｂを閉じることで、記録可能になるブランク領域が存在するかどうか、上記ＲＭＤ記録領域内の最新のＲＭＤ情報に基づくブランク領域の表（テーブル）から探索する（図４（Ｂ）のステップＳ２３）。
【００５７】
ここでは、システムコントローラ４は、ブランク領域の表から二番目のブランク領域１０７ａが存在することを認識し、また、インビジブルＲゾーン（Invisible RZone）１０８の一層目記録層に記録済みの位置を確認し、更に、予約ＲＺｏｎｅ１０５ｂの一層目記録層がすべて記録済みであることを確認することにより、二番目のブランク領域１０７ａが記録可能であると判断し、ブランク領域１０７ａに０データのパディング（すなわち、無効データ）を記録する（図４（Ｂ）のステップＳ２４）。
【００５８】
これにより、図３（Ｃ）に１０７ｂで示すように、二番目のブランク領域は記録済みとなる。なお、インビジブルＲゾーン（Invisible RZone）１０６の一層目記録層がすべて未記録の場合は、二番目のブランク領域１０７ａは記録可能とならない。
【００５９】
続いて、システムコントローラ４は図３（Ｃ）に示したように、二番目のブランク領域１０７ａは０データで埋められて１０７ｂとなり、ブランク領域ではなくなったので、データメモリ７に確保したＲＭＤ記録領域内のブランク領域の表（テーブル）から二番目のブランク領域１０７ａの開始セクタ番号と終了セクタ番号とを削除し、それよりも下位の開始セクタ番号と終了セクタ番号の情報を繰り上げた後、その更新後のＲＭＤを光ディスク３のＲ−Ｉｎｆｏ．５１１又は５２１に記録する（図４（Ｂ）のステップＳ２５）。
【００６０】
図６（Ｃ）は上記のようにして二番目のブランク領域１０７ａの開始セクタ番号と終了セクタ番号とが削除された、データメモリ７に確保したＲＭＤ記録領域内のブランク領域の表（テーブル）を示している。なお、この図６（Ｃ）には図３（Ｃ）には図示していない、三番目、四番目のブランク領域が発生したものとした場合に存在する、開始セクタ番号、終了セクタ番号が２０５〜２０８で示すように記憶されている。三番目、四番目のブランク領域が発生していない場合は、０である。
【００６１】
なお、このタイミングで０データで埋める必要はなく、もっと後のタイミングで他のデータを記録してもよい。その場合、記録し終わった時点でＲＭＤを更新し、ブランク領域の表から削除する。また、他のデータを一時に二番目のブランク領域の全てに記録する必要はなく、その一部のみに記録してもよい。その場合、記録した部分を除いた領域を新たにＲＭＤに登録し直す。従って、開始セクタ番号または終了セクタ番号のいずれかが更新される。
【００６２】
また、更新したＲＭＤを光ディスク３のＲ−Ｉｎｆｏ．５１１又は５２１に記録した後、一旦、この光ディスク３が光ディスク装置２から排出されることもある。その場合、この光ディスク３に関する管理情報ＲＭＤは、光ディスク装置２では失われる。しかし、再度、この光ディスク３が光ディスク装置２に装着されると、光ディスク３のＲ−Ｉｎｆｏ．５１１又は５２１に記録されている管理情報が読み出されてデータメモリ７に追記される。
【００６３】
上記の動作が繰り返され、光ディスク３への情報信号の記録が終了すると、最後に、上位装置１から光ディスク装置２に対して、ボーダーのクローズまたはファイナライズを実行する命令が発行される（図２のステップＳ３０）。光ディスク装置２のシステムコントローラ４は、上位装置１から一番目の予約ＲＺｏｎｅを閉じてボーダーを閉じる（またはファイナライズを実行する）命令を受け取ると（図５のステップＳ３１）、内部バス８及び記録再生回路５を介して光ピックアップ９を制御して、図９に示したＲ−Ｉｎｆｏ．５１１又は５２１に記録されているＲＭＡ内の最新のＲＭＤ情報を読み出す（図５のステップＳ３２）。
【００６４】
続いて、システムコントローラ４は読み出した最新のＲＭＤ情報を、データメモリ７に確保したＲＭＤ記録領域内に格納した後、一番目の予約ＲＺｏｎｅ１０１ａを閉じる（クローズする）ことで、記録可能になるブランク領域が存在するかどうか、また、他の部分にブランク領域が存在しないかどうかを、ＲＭＤ記録領域内の上記の最新のＲＭＤ情報に基づくブランク領域の表（テーブル）から探索する（図５のステップＳ３３）。
【００６５】
ここでは、一番目の予約ＲＺｏｎｅ１０１ａはまだ未記録であるので、システムコントローラ４は記録再生回路５及び光ピックアップ９を制御して、０データのパディング（無効データ）で予約ＲＺｏｎｅ１０１ａを記録済みとし（すなわち、一番目の予約ＲＺｏｎｅをクローズし）、その結果、図３（Ｃ）に示した一番目の予約したＲＺｏｎｅ１０１ａの一層目記録層の領域が全て記録されるので、一番目のブランク領域１０３ａが記録可能になる。
【００６６】
そこで、システムコントローラ４は光ピックアップ９により、一番目の予約ＲＺｏｎｅを閉じた後で、一番目のブランク領域Ｓ３４を０埋めデータで記録する。他のブランク領域が存在していた場合は、その領域にも０データのパディングを記録する（図５のステップＳ３４）。これにより、光ディスク３は、図３（Ｄ）に示す記録状態となる。図３（Ｄ）中、１０１ｂは無効データで記録済みの一番目の予約ＲＺｏｎｅを示し、１０３ｂは無効データで記録済みの一番目のブランク領域を示す。また、１０９は所望の情報が記録されたＲＺｏｎｅを示す。なお、図３（Ｄ）のＲＺｏｎｅの外周側にＢｏｄｅｒ−ｏｕｔ（図示せず）が記録される。
【００６７】
続いて、システムコントローラ４はデータメモリ７内のＲＭＤ記憶領域内のブランク領域の表から、一番目のブランク領域の開始セクタ番号と終了セクタ番号が格納されていた部分を削除し、それよりも下位のブランク領域の情報を繰り上げる。他のブランク領域が存在していて、その領域に０埋めデータ（無効データ）を記録した場合は、その領域の開始セクタ番号と終了セクタ番号が格納されていた部分を削除してそれよりも下位のブランク領域の情報を繰り上げる（以上、図５のステップＳ３５）。
【００６８】
このようにして、データメモリ７内のブランク領域の表の最上位が０になった場合に、ブランク領域が無くなったと判断し、システムコントローラ４は光ピックアップ９を制御してデータメモリ７内の更新したブランク領域の表を含む管理情報ＲＭＤを、光ディスク３のＲ−Ｉｎｆｏ．５１１又は５２１に記録する（図５のステップＳ３６）。
【００６９】
このように、本実施の形態によれば、データメモリ７の管理情報ＲＭＤ中にブランク領域の開始セクタ番号と終了セクタ番号を登録し、更新し、光ディスク３の所定の領域に記録するので、最新のＲＭＤを読み取るだけで、ブランク領域の有無や場所を知ることができる。従って、ボーダーのクローズ時やファイナライズ時等に、改めてブランク領域を探索する必要がなく、ボーダーのクローズやファイナライズに要する時間を削減することができ、光ディスク装置の利便性を向上できる。
【００７０】
次に、本発明の他の実施の形態について説明する。この実施の形態では、例えば図７に示すように、一層目記録層５０１及び二層目記録層５０２が積層された片面２層の追記型の光ディスク（例えば、ＤＶＤ−Ｒ）の一層目記録層５０１にのみＲＺｏｎｅを予約した場合の例である。すなわち、図７において、光ディスクの内周から外周方向に、一層目記録層と二層目記録層の両方に予約され、かつ、一層目記録層の一部に記録済みの一番目の予約ＲＺｏｎｅ３０１と、一層目記録層と二層目記録層の両方に記録済みのＲＺｏｎｅ３０２と、一層目記録層のみ予約され、かつ、未記録の二番目の予約ＲＺｏｎｅ３０４と、一層目記録層に一部記録済みのインビジブルＲゾーン（Invisible RZone）３０６とが順に形成されている。
【００７１】
上記のＲＺｏｎｅ３０１、３０２、３０４及び３０６は、それぞれＲゾーン番号が順番に付されている。ここで、ＲＺｏｎｅ３０１、３０２、３０４及び３０６の各Ｒゾーン番号は、＃１０、＃１１、＃１２、＃１３であるものとする。また、各Ｒゾーン番号には、そのスタートセクタ番号とジャンプセクタ番号とエンドセクタ番号とのうち、既知のセクタ番号が対応付けて管理情報として光ディスク３のＲ−Ｉｎｆｏ．５１１又は５２１に記録されると共に、光ディスク装置２内のデータメモリ７にも格納される。
【００７２】
なお、記録済みＲＺｏｎｅ３０２については、スタートセクタ番号とジャンプセクタ番号とエンドセクタ番号とが分かり、一部記録済みのインビジブルＲＺｏｎｅ３０６については、スタートセクタ番号とエンドセクタ番号ＥＳＮ’とが分かるが、未記録のインビジブルＲＺｏｎｅは、エンドセクタ番号とジャンプセクタ番号は確定しない。また、一層目記録層のみの予約ＲＺｏｎｅはジャンプセクタ番号は存在しない。
【００７３】
例えば、上記のＲゾーン番号＃１１の記録済みＲＺｏｎｅ３０２のスタートセクタ番号はＸであり、一層目記録層から二層目記録層へ記録が移行する直前の一層目記録層のセクタ番号を示すジャンプセクタ番号はＹであり、そのＲＺｏｎｅへの記録が終了したセクタ番号を示すエンドセクタ番号はＥＳＮである。なお、この実施の形態が適用される光ディスクには、予め同期信号がディスク製造段階で所定間隔で記録されており、この同期信号記録位置を基準にしてセクタ単位でデータが記録される。
【００７４】
図７において、一番目の予約ＲＺｏｎｅ３０１の一層目記録層にはすべて情報信号が記録されていないので、一番目の予約ＲＺｏｎｅ３０１と、その外周側に隣接する記録済みのＲＺｏｎｅ３０２との間の二層目記録層にはブランク領域３０３が存在し、また、一層目記録層のみの二番目の予約ＲＺｏｎｅ３０４は未記録であるので、予約ＲＺｏｎｅ３０４を中央に挟んで形成された記録済みＲＺｏｎｅ３０２と一部記録済みのインビジブルＲＺｏｎｅ３０６との間の二層目記録層にもブランク領域３０５が存在する。
【００７５】
上記のブランク領域３０３は、開始セクタ番号が記録済みＲＺｏｎｅ３０２のスタートセクタ番号Ｘにより定まるＸバーであり、終了セクタ番号が記録済みＲＺｏｎｅ３０２のエンドセクタ番号ＥＳＮである。すなわち、図１０と共に説明したように、レーザー光の光束６０１が一層目記録層５０１を透過する幅の方が二層目記録層５０２上の幅よりも狭く、一層目記録層５０１のセクタ番号Ｘの位置を通過したレーザー光が、二層目記録層５０２のＸバーの位置に達することが予め分かっているので、スタートセクタ番号Ｘによりブランク領域３０３のセクタ開始番号Ｘバーを計算できる。これはジャンプセクタ番号Ｙにより定まるＹバーも同様である。
【００７６】
同様に、上記のブランク領域３０５は、開始セクタ番号が記録済みＲＺｏｎｅ３０２のジャンプセクタ番号Ｙにより定まるＹバーであり、終了セクタ番号がインビジブルＲＺｏｎｅ３０６のエンドセクタ番号ＥＳＮ’である。
【００７７】
ここで、上記の実施の形態では、ブランク領域３０３、３０５を特定するために、管理情報ＲＭＤ中にブランク領域の開始セクタ番号と終了セクタ番号を登録し、更新するようにしているが、前述したように、各Ｒゾーン番号が、そのＲゾーン（ＲＺｏｎｅ）のスタートセクタ番号とジャンプセクタ番号とエンドセクタ番号とのうち既知のセクタ番号が対応付けて管理情報として光ディスク３のＲ−Ｉｎｆｏ．５１１又は５２１に記録されると共に、光ディスク装置２内のデータメモリ７にも格納されているので、Ｒゾーン番号を登録し、更新することでブランク領域３０３、３０５を特定することもできる。
【００７８】
例えば、Ｒゾーン番号＃１０と＃１１を指定することにより、Ｒゾーン番号＃１１のスタートセクタ番号Ｘとエンドセクタ番号ＥＳＮとから、Ｒゾーン番号＃１０と＃１１の間の二層目記録層５０２に、開始セクタ番号がＸバーで、終了セクタ番号がＥＳＮであるブランク領域３０３が存在することを特定することができる。
【００７９】
また、Ｒゾーン番号＃１１と＃１３を指定することにより、ブランク領域３０５の存在を特定できる。すなわち、Ｒゾーン番号＃１１の記録済みのＲＺｏｎｅ３０２のジャンプセクタ番号ＹとＲゾーン番号＃１３の一部記録済みインビジブルＲＺｏｎｅ３０６のエンドセクタ番号ＥＳＮ’とから、Ｒゾーン番号＃１１と＃１３の間の二層目記録層５０２に、開始セクタ番号Ｙバーで、終了セクタ番号がエンドセクタ番号ＥＳＮ’のブランク領域３０５が存在することを特定することができる。
【００８０】
なお、予約ＲＺｏｎｅ３０４の外周側に隣接するインビジブルＲＺｏｎｅが未記録である場合は、そのエンドセクタ番号は確定しないが、予約ＲＺｏｎｅ３０４の上側の二層目記録層に、開始セクタ番号Ｙバーのブランク領域３０５が存在することは判別することができる。この場合、ブランク領域３０５の終了セクタ番号は、所定の値（例えば、０）としておき、インビジブルＲＺｏｎｅ３０６の一部又は全部にデータが記録されることによりエンドセクタ番号がＥＳＮ’が確定してから、ブランク領域３０５の終了セクタ番号をＥＳＮ’に更新するようにしてもよい。
【００８１】
本実施の形態によれば、データメモリ中の管理情報ＲＭＤ中にＲゾーン番号に基づいて決定したブランク領域の少なくとも開始セクタ番号を登録し、更新して光ディスクの所定領域に記録するので、最新のＲＭＤを読み取るだけで、ブランク領域の有無や場所を知ることができる。従って、ボーダーのクローズ時やファイナライズ時等に、改めてブランク領域を探索する必要がなく、ボーダーのクローズやファイナライズに要する時間を削減することができ、光ディスク装置の利便性を向上できる。
【００８２】
なお、上記の実施の形態では、片面２層の記録層を持つ光ディスクとして、追記型のＤＶＤ−Ｒの例を述べたが、本発明は、これに限定されるものではなく、同一領域への書き換え回数に制限のある書き換え型の光ディスクにも同様に適用できる。そのような書き換え型の光ディスクの例として、ＤＶＤ−ＲＷがある。
【００８３】
片面２層の記録層を持つ、ＤＶＤ−ＲＷの場合、新品のディスクでは、一層目、二層目ともに未記録である。従って、新品のＤＶＤ−ＲＷに最初に記録していく場合には、これまで述べた片面２層のＤＶＤ−Ｒの場合と同様に、記録時にブランク領域が発生する場合がある。従って、本発明はＤＶＤ−Ｒの場合と同様にＤＶＤ−ＲＷにも適用できる。一方、既に、記録した領域を書き換える際には、上記のようなブランク領域が新たに発生することはない。
【００８４】
また、本発明は片面３層以上の複数の記録層を持った追記型又は書換型の光ディスクに対しても、実施の形態と同様に適用できる。また、本発明は、上記の光ディスク記録装置の機能をコンピュータにより実現させるプログラムも含むものである。この場合、プログラムは記録媒体に書き込まれており、その記録媒体をコンピュータに装填することで組み込むようにしてもよいし、プログラムを所定の伝送路を介してコンピュータに配信して取り込ませるようにしてもよい。
【図面の簡単な説明】
【００８５】
【図１】本発明の光ディスク記録装置の一実施の形態を用いた記録再生システムのシステム構成図である。
【図２】本発明の光ディスク記録方法の一実施の形態の概略動作説明用フローチャートである。
【図３】本発明装置の一実施の形態の動作を説明するための片面２層光ディスクの記録状態の推移を示す図である。
【図４】本発明の一実施の形態の動作説明用フローチャート（その１）である。
【図５】本発明の一実施の形態の動作説明用フローチャート（その２）である。
【図６】本発明の光ディスク記録装置内のメモリ及び光ディスクに記録される管理情報の記録状態の推移の一例を示す図である。
【図７】本発明装置の他の実施の形態の動作を説明するための片面２層光ディスクの記録状態の一例を示す図である。
【図８】従来の光ディスク記録装置における記録情報の追記の一例を模式的に示す図である。
【図９】片面２層光ディスクの一例の記録領域を示す図である。
【図１０】片面２層光ディスクにレーザー光を照射して記録する動作の一例の説明図である。
【図１１】片面２層光ディスクへの記録動作の一例を説明するための各記録層の記録状態の模式図である。
【符号の説明】
【００８６】
１  上位装置
２  光ディスク装置
３  片面２層光ディスク
４  システムコントローラ
５  記録再生回路
６  プログラムメモリ
７  データメモリ
９  光ピックアップ
１００、１０４、１０９、３０２  記録済みのＲＺｏｎｅ
１０１ａ、１０５ａ  未記録の予約ＲＺｏｎｅ
１０１ｂ、１０５ｂ  記録済みの予約ＲＺｏｎｅ
１０２、１０６  未記録のインビジブルＲゾーン（Invisible RZone）
１０３ａ、１０７ａ、３０３、３０５  未記録のブランク領域
１０３ｂ、１０７ｂ  記録済みのブランク領域
１０８、３０６  一部記録済みのインビジブルＲゾーン（Invisible RZone）
３０１  一部記録済みの予約ＲＺｏｎｅ
３０４  未記録の一層目記録層の予約ＲＺｏｎｅ
５０１  一層目記録層
５０２  二層目記録層
５１１、５２１  Ｒ情報領域（Ｒ−Ｉｎｆｏ．）
５１２  リードイン領域（Ｌｅａｄ−ｉｎ）
５１３、５２３  データ領域（Ｄａｔａ  Ａｒｅａ）
５１４、５２４  中間領域（Ｍｉｄｄｌｅ  Ａｒｅａ）
５２２  リードアウト領域
【図１】
2006147117.tif 000003
【図２】
2006147117.tif 000004
【図３】
2006147117.tif 000005
【図４】
2006147117.tif 000006
【図５】
2006147117.tif 000007
【図６】
2006147117.tif 000008
【図７】
2006147117.tif 000009
【図８】
2006147117.tif 000010
【図９】
2006147117.tif 000011
【図１０】
2006147117.tif 000012
【図１１】
2006147117.tif 000013